(57)【要約】【課題】            インクジェット記録シートにおいて、インクジェット印刷後のインキ乾燥が良好で、且つインクジェット印刷面で凝集が少なく、且つ、画像再現性が良好な転写シートに香り等の機能を発現する成分を付与したシートを提供すること【解決手段】        基材上に少なくとも１層のインク受理層を有し、概インク受理層に香粧品成分を含有するインクジェット記録材料であって、支持体の片面に離型層が形成され、前記離型層の上面に紫外線硬化性樹脂組成物を含有するハードコート層、及びＩＪ受理層が順に積層されていることインクジェット記録シートであって、前記ＩＪ受理層の組成が、紫外線硬化性樹脂組成物と固着剤とを含有することを特徴とするインクジェット記録シート【選択図】          なし【特許請求の範囲】
【請求項１】
基材上に少なくとも１層のインク受理層を有し、概インク受理層に香粧品成分を含有することを特徴とするインクジェット記録材料。
【請求項２】
前記香粧品成分が、香料、アロマオイル、エッセンシャルオイル、精油、抗菌剤、防臭剤、脱臭剤、温感成分、及び冷感成分からなる群から選ばれる少なくとも１種以上の成分である請求項１記載のインクジェット記録材料。
【請求項３】
前記香粧品成分の含有比率が、インク受理層の固形分の０．００１〜５重量％である請求項１または２記載のインクジェット記録材料。
【請求項４】
前記香粧品成分の形態が、香粧品成分を単体に担持した粉末、または、香粧品成分のマイクロカプセルである請求項１記載のインクジェット記録材料。
【請求項５】
請求項１〜４のいずれか１に記載のインクジェット記録材料を用いたインクジェット記録シート。
【請求項６】
前記インクジェット記録シートが、支持体の片面に離型層が形成され、前記離型層の上面に紫外線硬化性樹脂組成物を含有するハードコート層、及びＩＪ受理層が順に積層されていることインクジェット記録シートであって、前記ＩＪ受理層の組成が、紫外線硬化性樹脂組成物と固着剤とを含有する請求項５記載のインクジェット記録シート。
【請求項７】
請求項５記載インクジェット記録シートを用いた転写シート
【発明の詳細な説明】
【技術分野】
【０００１】
本発明は、香り等の機能を発現する成分を有するインク受理層を有するインクジェット記録シート、更には、平らではない曲面（フェイスペイントやボディペイント，携帯電話など）への好適なインクジェットを用いた印刷等に使用されるインクジェット記録シート、香気成分等を放散するネイルアート用転写シートに関する。
【背景技術】
【０００２】
インクジェットを用いた印刷は現在様々な分野に用いられており、特に、インクジェット記録によるとカラー化が容易であるため、近年急速に普及している。このインクジェット記録に用いられる記録シートとしては、通常の紙を用いる場合もあるが、ＯＨＰ用フィルムやバックライトディスプレイ用フィルムなどのように透明性なシートを用いる場合も多く、この場合には記録シートの透明性が可視光の波長帯域に亘って優れていることが求められる。
【０００３】
インクジェット記録シートの応用例としては、ネイルアート用転写シートがあり、このような用途に適応しうる素材として、インクジェット記録シート（たとえば、特許文献１参照）が知られている。
【０００４】
しかし、上記インクジェット記録シートはインクジェット印刷において、インクジェット印刷後のインキ乾燥が遅く、且つインクジェット印刷面で凝集が見られ、またハードコート側（インクジェット印刷面とは反対側）から見た時の画像再現性が悪いという課題を有するものである。
【０００５】
日常生活において、においはと密接に関わり、時には人の心身の健康状態や対人関係にまで影響を及ぼす。良い香りがすれば、人は心身ともにリラックスでき幸福感をも感じる。逆に悪臭や異臭は不快感やイライラ，頭痛などを引き起こす原因にもなる。そこで近年、香り等の付加価値を付与した日用品の需要が急増している。  日用品の一つとして、写真など自身で好みの印刷を行うインクジェット印刷可能な紙や記録媒体、転写シート等のインクジェット記録媒体が知られているが、インクジェット記録媒体のインクジェット受理層はインクジェット印刷の画像再現に特化したものであり、その他の機能を有するものではない。
【先行技術文献】
【特許文献】
【０００６】
【特許文献１】特開２００７−１６０８０８
【発明の概要】
【発明が解決しようとする課題】
【０００７】
したがって、本発明の課題は、インクジェット記録シートにおいて、インクジェット印刷後のインキ乾燥が良好で、且つインクジェット印刷面で凝集が少なく、且つ、画像再現性が良好な転写シートに香り等の機能を発現する成分を付与したシートを提供することにある。
【課題を解決するための手段】
【０００８】
本発明者は、前記課題を解決すべく鋭意検討の結果、インクジェット記録シートにおいて、紫外線硬化型樹脂組成物を受理層に香り等の機能を発現する成分を含有することで上記の課題を解決することを見出し、発明を完成させた。
【０００９】
すなわち、本発明は、基材上に少なくとも１層のインク受理層を有し、概インク受理層に香粧品成分を含有することを特徴とするインクジェット記録材料を提供する。
【発明の効果】
【００１０】
本発明によれば、インクジェット記録媒体のインクジェット受理層は、癒しや清涼感，温感，防臭，抗菌等の効果も有するものであり、且つ、画像再現性に優れた画像形成が容易なシートを提供できる。
【００１１】
また、前記の画像シートを用いたネイルアート用転写シートは、爪表面装着時の塗膜裁断時の縁切れ性も良好で、種々の機能が付与されたネールアートが容易に得られる。
【発明を実施するための形態】
【００１２】
本発明のインクジェット記録シートは、基材上に少なくとも１層のインク受理層を有し、概インク受理層に香粧品成分を含有していれば、特に限定されないが、例えば、粘接着層、受理層（以下、単に「受理層」と称す場合がある）、ハードコート層、離型層、支持体（基材）がこの順に積層され画像転写シートであって、前記粘接着層と前記基材とが剥離可能であるシートとすることが、実使用上は好ましい。
【００１３】
本発明に用いる支持体としては、ポリエチレンナフタレートフィルム、ポリエチレンテレフタレートフィルム等のポリエステル系フィルム、ポリオレフィン系フィルム、ポリフェニレンサルファイドフィルム等が挙げられ、これらの中でもポリエチレンテレフタレート（ＰＥＴ）が好ましく、その厚さとしては、曲面への追従性がより向上することから、１０〜６０μｍの範囲にあることが好ましい。また、転写が円滑に進行する目的で、ＰＥＴフィルムに、シリコーン系離型層やオレフィン系離型層を有する離型ＰＥＴを用いることが好ましい。
【００１４】
本発明に用いるＩＪ受理層は、たとえば、ネイルアート用途においては絵柄印刷等に用いられるものであり、無機微粒子および親水性バインダーを含有するものであり、無機微粒子としては、たとえば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、珪藻土、珪酸カルシウム、珪酸マグネシウム、合成非晶質シリカ、水酸化アルミニウム、アルミナ、ゼオライト、加水ハロイサイト、炭酸マグネシウム、水酸化マグネシウムなどが挙げられる。これらのうち、インク吸収性の点で多孔性無機微粒子が好ましく、多孔性合成非晶質シリカ、多孔性炭酸カルシウム、多孔性炭酸マグネシウム、多孔性アルミナ等が挙げられる。
【００１５】
これらの中でも、１次粒子径が１０〜３０nmで、且つ、平均凝集粒子径が０．５μｍ〜２０μｍ(コールターカウンター測定)のシリカが含まれていることが好ましい。前記シリカによって、インクジェット印刷面でのインキ乾燥性と画像再現性、またハードコート側から見た時の画像再現性が向上する。更に、塗膜裁断時の縁切れ性が向上する。
【００１６】
本発明の受理層のバインダーとしては、紫外線硬化性樹脂組成物が必須成分として含まれる。紫外線硬化性樹脂組成物としては、たとえば、水性の紫外線硬化性樹脂組成物、有機溶媒溶解性の組成物、或いは、重合性モノマーに希釈した組成物であってもよい。また、後述する固着剤を加える場合は、水性の紫外線硬化性樹脂組成物が、混合の面から好ましい。前記水性の紫外線硬化性樹脂組成物としては水分散性のアクリレート類、たとえば、ポリアルキレングリコールのアクリル酸エステル類等を必須成分とする紫外線硬化性樹脂組成物が好ましい。前記ポリアルキレングリコールのアクリル酸エステル類としては、ポリエチレングリコールのジアクリレート、片末端がアルコキ基で封鎖されたポリアルキレングリコールのモノアクリレート等が挙げられる。なお、紫外線硬化性樹脂組成物は、前記化合物を単独で用いてもよいし、その他の重合性化合物を併用してもよい。
【００１７】
前記紫外線硬化性樹脂組成物に用いる光重合開始剤としては、紫外線、電子線、放射線等でラジカルを発生することが可能な化合物であり、具体例としては、ベンゾイン、ベンゾインメチルエーテル、ベンゾインエチルエーテル、ベンゾインイソプロピルエーテル、ベンゾインイソブチルエーテル、アセトイン、ブチロイン、トルオイン、ベンジル、ベンゾフェノン、ｐ − メトキシベゾフェノン、ジエトキシアセトフェノン、２，２−ジメトキシ−２−フェニルアセトフェノン、メチルフェニルグリオキシレート、エチルフェニルグリオキシレート、４，４−ビス（ジメチルアミノベンゾフェノン）、２−ヒドロキシ−２−メチル−１−フェニルプロパン−１−オン、１−ヒドロキシシクロヘキシルフェニルケトン、１−（４−イソプロピルフェニル）−２−ヒドロキシ−２−メチルプロパン−１−オン等のカルボニル化合物；テトラメチルチウラムジスルフィド等の硫黄化合物；アゾビスイソブチロニトリル、アゾビス−２，４−ジメチルバレロニトリル等のアゾ化合物；２−エチルアントラキノン等のアントラキノン類；ベンゾイルパーオキシド、ジターシャリーブチルパーオキシド等のパーオキシド化合物；２,４,６−トリメチルベンゾイルジフェニルホスフィンオキサイド、ビス（２，６−ジメトキシベンゾイル）−２，４，４−トリメチルペンチルホスフィンオキサイド等のアシルホスフィンオキサイド化合物を挙げることができる。
【００１８】
これらの中でも、ベンゾフェノン、２−ヒドロキシ−２−メチル−１−フェニルプロパン−１−オン、１−ヒドロキシシクロヘキシルフェニルケトン、２,４,６−トリメチルベンゾイルジフェニルホスフィンオキサイド等が好ましく、これらを単独で使用、または、２種以上併用してもよい。
【００１９】
また、前記以外のバインダーとしては、たとえば、水溶性バインダーまたは水分散性バインダーが挙げられる。水溶性バインダーとしては、例えば、酸化澱粉、エーテル化澱粉、リン酸エステル化澱粉などの澱粉誘導体、メチルセルロース、カルボキシメチルセルロース、ヒドロキシエチルセルロースなどのセルロース誘導体、ポリビニルアルコールまたはシラノール変性ポリビニルアルコールなどのポリビニルアルコール誘導体、カゼイン、ゼラチンまたはそれらの変性物、大豆蛋白、プルラン、アラビアゴム、カラヤゴム、アルブミンなどの天然高分子樹脂またはこれらの誘導体、ポリアクリルアミド、ポリビニルピロリドンなどのビニル共重合体、アルギン酸、ポリエチレンイミン、ポリプロピレングリコール、ポリエチレングリコール、無水マレイン酸またはその共重合体などである。水分散性バインダーとしては、例えばスチレン−ブタジエン共重合体、メチルメタクリレート−ブタジエン共重合体などの共役ジエン系共重合体ラテックス、（メタ）アクリル酸エステルの重合体あるいはこれらの共重合体などのアクリル系共重合体ラテックス、エチレン−酢酸ビニル共重合体、塩化ビニル−酢酸ビニル共重合体などのビニル系共重合体ラテックス、ポリウレタン樹脂ラテックス、アルキッド樹脂ラテックス、不飽和ポリエステル樹脂ラテックスあるいはこれらの各種共重合体のカルボキシ基などの官能基含有単量体による官能基変性共重合体ラテックスなどのラテックス系バインダー、メラミン樹脂、尿素樹脂などの硬化性の組成物等が挙げられる。
【００２０】
更に、受理層には、アルキルアミノメタクリレート４級塩共重合物、ポリアミン系化合物、ポリカチオン系アリルアミン，ジアリルアミン，ジメチルアミン・エピクロルヒドリンからなる群から選ばれる１種以上の化合物からなる固着剤を添加することが好ましい。
【００２１】
前記固着剤は、染料を不溶性に変えて層に固着させるための薬剤であり、これらの化合物をＩＪ受理層に含有させることにより、従来、インクジェット印刷面での画像再現性とハードコート側から見た時の画像再現性が向上する。
【００２２】
本発明に用いられる香粧品成分としては、種々の物質が使用可能であるが、例えば、このような成分・物質としては、香料、アロマオイル、エッセンシャルオイル、精油、抗菌剤、防臭剤、脱臭剤、温感成分、冷感成分等が挙げられる。
【００２３】
これらの成分は、そのまま前述の樹脂組成物に、添加、混合或いは分散してもよいが、樹脂組成物中の成分と反応したり、変質したりする場合は、マイクロカプセル化したり、有機または無機の粉末に担持（粉末香料化）した後、添加してもよい。
なお、このような処理を施すことにより、各香粧品成分、例えば、香料の場合においては、香気成分を徐々に放散して、香料成分の賦香効果の持続させる効果を奏する点からも好ましい。
【００２４】
例えば、香料を粉末の担体に担持する場合は、香料として、植物花精油の成分である、リナロール、ゲラニオール、シトロネロール等のテルペン系アルコール類、シトラール、シトロネラール等のテルペン系アルデヒド類、その他、芳香族アルコール、芳香族エステル、芳香族エーテル、脂肪族アルコール、脂肪族エステル等、更に、具体的には、たとえば、ｐ−メチルアセトフェノン、α−ダマスコン、メントン、ムスコン、ジャスミン、シンナムアルデヒド、酢酸ゲラニル、酢酸イソボルニル、安息香酸イソアミル、α−ピネン、リモネン、シトロネロール、Ｐ−メチルアニソール、ローズオキサイド、ムスクケトン、Ｐ−ｔｅｒｔ−プチルシクロヘキシル、へキシルシンナミックアルデヒド、メチルβ−ナフチルケトン、ハノオイゲール、Ｌ一ノントール、ケイ皮酸、ゲラニオール、プロムスチロール、フェニルエチルアルコール、α−リモネン、ペンジルアルデヒド、オイゲノール、ボルニルアルデヒド、シトロネラール、コロラール、テルピネオール等が挙げられ、これらはそれぞれ単独でまたは２種以上を混合して使用することができる。また、これら香料物質を含有する植物花精油を分別蒸留して得られる沸点が２５０℃以下の香料成分を用いることもできる。
【００２５】
一方、これらの香料物質を吸着させるための多孔性シリカとしては、一般に市販されている無定形シリカ（非晶質二酸化ケイ素）、好ましくは球状の多孔性シリカを使用することができる。そのような多孔性シリカは一般に１〜２ｍｌ／ｇの細孔容積を有するものが好ましく、また、平均粒径が１〜２０μの範囲内にあるのが好ましい。
【００２６】
このような多孔性シリカに前記の香料物質を吸着させる方法としては、例えば、少量製造の場合には、ビーカーに多孔性シリカを計量し、それに香料物質を滴下しながらガラス棒などで充分撹拌する方法が挙げられ、また、大量製造の場合には、粉体混合機を使用し、少量の場合と同様に多孔性シリカを撹拌しながら香料物質を滴下する方法が挙げられる。
【００２７】
前記の吸着において、多孔性シリカは、香料物質１重量部あたり０．３〜２重量部、好ましくは０．５〜１．５重量部の割合であることが、匂い立ちが優れることから好ましい。
【００２８】
また、マイクロカプセル化すれば、印刷層を形成する際には、各香粧品成分は、放散せずに、必要な場合に、受理層に外力を加えて、マイクロカプセルを破壊して放散させることもできる。
【００２９】
マイクロカプセル化香料は、種々のものが使用されるが、通常のカプセルのように完全に香りを封じ込めるものであってもよいし、また、徐々に香りを放出する多孔質のカプセルであってもよい。一般に、カプセル物質は、ゼラチン、アラビアゴム、カラジーナン、ゼイン、アルギン酸ナトリウム、カルボキシメチルセルロースアルカリ金属塩、カラギナン、エチルセルローズ、ポリビニールアルコール、ポリエチレン、メラミン樹脂、メラミン・ホルムアルデヒド樹脂、尿素・ホルムアルデヒド樹脂、グアナミン・ホルムアルデヒド樹脂、スルホアミド・アルデヒド樹脂、アニリン・ホルムアルデヒド樹脂などのホルムアルデヒド縮合系樹脂、エポキシ樹脂、フェノール樹脂、キシレン樹脂、ユリア樹脂、ポリエステル樹脂、アルキド樹脂、ケイ素樹脂等の熱硬化性樹脂等、無水マレイン酸共重合体、無水アクリル酸共重合体、ポリビニルアルコール、硫酸化セルロース、水溶性ナイロン等が挙げられ、単独あるいは２種類以上を組み合わせて使用される。コアセルベーション法では、カプセル物質としてゼラチンが多用される。このほかにｉｎ  ｓｉｔｕ法によりマイクロカプセルが得られる塩化ビニリデン、塩化ビニル、スチレン、エチレン、アクリル酸エステル、メタアクリル酸エステル、アクリロニトリル、酢酸ビニルなどの熱可塑性ポリマーを作り得るモノマー重合体及び２種類以上のモノマーの共重合体が使用される。カプセルサイズは、１〜１５０μｍが標準的である。
【００３０】
前記香粧品成分の含有比率は、インク受理層の固形分の０．００１〜５重量％であることが、画像形成時に、画像形成を妨げないことから好ましい。
【００３１】
アロマオイル、エッセンシャルオイル、精油等についても、前述の方法で、直接分散してもよいし、無機化合物に吸着した形態や、マイクロカプセル化した形態で分散してもよい。
【００３２】
抗菌剤、防臭剤、脱臭剤等についても、前述の方法で分散できる。
【００３３】
また、前記の温感成分としては、例えば、カプサイシン等のアルカロイド系の物質をそのまま分散してもよいし、相転移性物質をマイクロカプセルに封入した蓄熱カプセルを用いてもよい。
【００３４】
同様に、冷感成分としては、メントール等の物質をそのまま分散してもよいし、相転移性物質をマイクロカプセルに封入した蓄熱カプセルを用いてもよい。
【００３５】
更に、ＩＪ受理層には、必要に応じて、前記以外の種々の添加剤を含有させることもできる。添加剤としては、増量剤、溶剤、水、染料定着剤、顔料分散剤、増粘剤、流動性改良剤、界面活性剤、消泡剤、抑泡剤、離型剤、発泡剤、浸透剤、着色染料、着色顔料、蛍光増白剤、紫外線吸収剤、酸化防止剤、防腐剤、防バイ剤、耐水化剤、湿潤紙力増強剤、乾燥紙力増強剤などが挙げられる。
【００３６】
本発明の受理層としては、前記の各成分の含有比率としては、たとえば、下記の範囲にあるものが好ましい。
シリカ（＊１）            ：1〜２０重量部
セルロース誘導体          ：１〜５重量部
紫外線硬化型樹脂組成物    ：２０〜６０重量部
香粧品成分                ：０．０００１〜５重量部
開始剤                    ：１〜５重量部
固着剤                    ：５〜１５重量部
増量剤                    ：１〜１０重量部
水                        ：１〜１０重量部
＊１：１次粒子径１０〜３０nm、平均凝集粒子径０．５μm〜２０μm
【００３７】
本発明において、ＩＪ受理層、ハードコート層を形成する方法としては、塗布する方法が一般的であり、グラビア印刷、スクリーン印刷、ブレード塗布法、ワイヤーバー塗布法、スプレー塗布法、浸漬塗布法、ビード塗布法、エアーナイフ塗布法、カーテン塗布法、ロール塗布法等が挙げられる。
【００３８】
本発明に用いるハードコート層としては、紫外線硬化型樹脂組成物に紫外線を照射して硬化するものであれば、特に限定されないが、たとえば、紫外線硬化型樹脂組成物としては、前述のアクリル系の紫外線硬化型樹脂組成物を用いることができる。
【００３９】
本発明のインクジェット記録シート中の、ハードコート層や受理層中の硬化型樹脂組成物を硬化せずに、印刷等を行った後、硬化してもよいし、あらかじめ硬化したのち印刷に供してもよい。
【００４０】
また、ハードコート層と受理層との間に、両者の接着性を向上する目的で、アンカー層を設けてもよい。アンカー層としては、ポリオール類とポリイソシアネート類とを配合した２液のウレタン系樹脂組成物や後述する粘接着層に用いる種々の粘着剤、接着剤を用いることができる。とくに、ハードコート層を硬質にした場合、ハードコート層と受理層との密着性を向上するのに有効である。
【００４１】
本発明に用いる離型層は、支持体に離型層が形成されたものであっても、それとは別に、たとえば、１〜５μｍのシリコーン樹脂膜を用いればよい。
【００４２】
本発明のネイルアート用転写シートは、前記のインクジェット記録シートを用いたものである。ネイルアート用転写シートとして使用する場合は、インクジェットプリンターや手書きで受理層に着色したり、画像を形成したりしたのち、インクジェット記録シートの受理層上に粘接着を形成するか、或いは、爪に両面テープ等で粘接着層を形成したのちインジェット記録シート貼付する方法が挙げられる。
【００４３】
本発明に用いる粘接着層としては、特に限定されず、両面粘着テープ類や種々の粘着剤、接着剤を用いることができる。たとえば、各種人体への影響が少なく、前記ポリエチレンフィルムを爪面に安定的に保持させることのできる各種の粘着剤によって形成され、例えば、アクリル酸エステル共重合体等が好ましい。
【００４４】
また、両面粘着テープ類の場合は、中芯タイプ(両粘着層の間に基材が設けられた)が、爪上に転写シートを粘着し、余分な部分を切り取ること(縁切れ性)が容易であることから好ましい。
【実施例】
【００４５】
実施例１〜５
離型ＰＥＴ（東レフィルム加工社製  膜厚５０μｍ）上に、ハードコート層としてＷＨＶ−６５２（ＤＩＣ社製コーティング剤）を乾燥膜厚５μｍとなるように塗布し、ついで、受理層として、表１に示す配合（重量部）からなるＵＶ硬化性樹脂組成物を乾燥膜厚２０μｍとなるように塗布し、１２０Ｗ、２０ｍ／分で２回照射の条件で光照射してインクジェット記録シートを製造した。その後、ＥＰＳＯＮ製インクジェットプリンタで印刷し、後述する方法で評価した。
【００４６】
なお、表中の使用物質は下記のものである。
ブレンマーＡＭＥ４００（日本油脂社製  メトキシポリエチレングリコール−アクリレート）
ＭＩＲＡＭＥＲ  Ｍ−２８６（東洋ケミカルズ社製  ポリエチレングリコール＃６００ジアクリレート）
ＴＥＧＯ  Ｗｅｔ  ２７０（レベリング剤：ポリエーテル変性シロキサンコポリマー：  エボニック社製）
ＴＥＧＯ  Ｆｏａｍｅｘ  Ｎ（消泡剤：エボニック製  シロキサン組成物）
光開始剤イルガキュア２９５９（ＢＡＳＦ社製  光開始剤：α−ヒドロキシケトン）
コーンスターチＸＸ１６Ｗ（日本食品化工社製  澱粉）
ファインシールＸ４５（徳山曹達社製  シリカ）
ファインシールＸ６０（徳山曹達社製  シリカ）
ＫＬＵＣＥＬ  Ｌ（アシュランド社製  ヒドロキシプロピルセルロース）
ＨＰ２０１  Ｋ（センカ社製  メタクリル酸エステル四級塩ポリマー）
ＮＥＯＦＩＸ  Ｅ−１１７（日華化学社製  カチオン系ポリマー）
ラロムプリュ  ペパーミント  （日本エコロジア株式会社製  水溶性アロマオイル）
HOT ACT VBE  （高砂香料工業株式会社製  香料）
COOLING AGENT-10(N)  （高砂香料工業株式会社製  香料）
PERFUME  AY-569  （大鹿香料株式会社製  香料）
PERFUME  AY-571  （大鹿香料株式会社製  香料）
【００４７】
比較例１
香料を添加しないこと以外は実施例１と同様の操作でシートを作成し同様の効果を行った。
【００４８】
実施例１〜７で製造したインクジェット記録シートの受理層上に、インクジェットプリンター（ＥＰＳＯＮ製）で、画像を印刷し、後述する方法で評価した。
【００４９】
試験条件，評価方法
・インクジェット印刷の印字性
写真判定：網点とベタ部を拡大写真で比較，評価者１０人(ｎ＝１０)による評価
評価：○(良評価８人以上)    △(良評価４人以上)    ×(良評価３人以下)
・塗膜香気
官能評価：インクジェット印刷面の香りを嗅いだ時に好ましいと感じるかを官能評価
評価者１０人(ｎ＝１０)による評価
評価：○(良評価８人以上)    △(良評価４人以上)    ×(良評価３人以下)価
【００５０】
【表１】
2014083692.tif 000002
【００５１】
【表２】
2014083692.tif 000003